(57)【要約】【課題】保護部材が仮係止位置に戻る信頼性の高いコネクタを提供する。【解決手段】保護部材は、雄ハウジングのフード内において雄タブを位置決めした状態で、仮係止位置と本係止位置とに移動可能とされる。雌ハウジングは、引っ掛け部を有している。保護部材は、本係止位置において引っ掛け部に当たり得る被引っ掛け部を有している。フードは、保護部材が仮係止位置にあるときに、被引っ掛け部に当たり得る当て部を有している。被引っ掛け部が引っ掛け部に当たった状態において、保護部材が本係止位置から仮係止位置に移動可能である。被引っ掛け部が当て部に当たり引っ掛け部から離れる方向に撓み変形した状態において、保護部材が仮係止位置に停止可能である。【選択図】図３
2020155360.tif 000002
【特許請求の範囲】
【請求項１】
フードを有する雄ハウジングと、
前記フード内に突出する雄タブと、
前記フード内に配置される保護部材と、
前記フード内に挿入される雌ハウジングと、を備え、
前記保護部材は、前記雄タブを位置決めした状態で、仮係止位置と、前記仮係止位置より前記フードの奥側である本係止位置と、に移動可能とされ、
前記雌ハウジングは、引っ掛け部を有し、
前記保護部材は、前記本係止位置において、前記引っ掛け部に対し、前記雌ハウジングが前記フードから抜け出る方向に当たり得る被引っ掛け部を有し、
前記フードは、前記保護部材が前記仮係止位置にあるときに、前記被引っ掛け部に対し、前記保護部材が前記フードから抜け出る方向に当たり得る当て部を有し、
前記被引っ掛け部が前記引っ掛け部に当たった状態において、前記保護部材が前記本係止位置から前記仮係止位置に移動可能であり、
前記被引っ掛け部が前記当て部に当たり前記引っ掛け部から離れる方向に撓み変形した状態において、前記保護部材が前記仮係止位置に停止可能であるコネクタ。
【請求項２】
前記被引っ掛け部および前記当て部は、それぞれ、前記保護部材が前記本係止位置から前記仮係止位置へと移動する方向に対し、前記被引っ掛け部が前記引っ掛け部から離れる側に傾斜し、互いに摺り合うことが可能な斜面部を有している請求項１に記載のコネクタ。
【請求項３】
前記被引っ掛け部は、前記撓み変形した状態から弾性復帰し、前記当て部に当たり得る状態になる請求項１または請求項２に記載のコネクタ。
【請求項４】
前記保護部材は、前記被引っ掛け部とは別に、被ストッパ部を有し、
前記フードは、前記当て部とは別に、前記被ストッパ部に対し、前記保護部材が前記フードから抜け出る方向に当たり得るストッパ部を有している請求項３に記載のコネクタ。
【請求項５】
前記被引っ掛け部および前記引っ掛け部は、それぞれ、前記保護部材が前記本係止位置から前記仮係止位置へと移動する方向に対して垂直に、または前記移動する方向に対して鋭角をなす方向に沿って当たるように形成されている請求項１から請求項４のいずれか１項に記載のコネクタ。
【発明の詳細な説明】
【技術分野】
【０００１】
本開示は、コネクタに関する。
【背景技術】
【０００２】
特許文献１に開示されたコネクタは、メスコネクタと、アライニングプレート（以下、保護部材という）と、オスコネクタと、を備えている。保護部材は、オスコネクタに対し、仮設置された状態（以下、仮係止位置という）と。メスコネクタにより押圧され、メスコネクタとともに設置が完了する状態と、に移動可能とされている。保護部材は、被係合部を有している。被係合部は、弾性アームと、弾性アームの先端部に設けられた爪部とからなる
メスコネクタがオスコネクタから離れる方向に移動すると、メスコネクタの凸部が保護部材の爪部に当たり、保護部材も移動する。メスコネクタがさらに移動すると、弾性アームが外側に弾性変形し、爪部が凸部から離れて、保護部材が仮係止位置に戻り得る。このように、保護部材が仮係止位置に戻る技術は、特許文献２にも開示されている。
【先行技術文献】
【特許文献】
【０００３】
【特許文献１】国際公開第２０１４／１９２８００号
【特許文献２】特開２０１７−１８８２４４号公報
【発明の概要】
【発明が解決しようとする課題】
【０００４】
特許文献１において、仮に、メスコネクタがオスコネクタから離れたときに、凸部と爪部との引っ掛かり状態が解除されていないと、保護部材が仮係止位置に停止することができず、オスコネクタから不用意に外れる懸念がある。
【０００５】
そこで、保護部材が仮係止位置に戻る信頼性の高いコネクタを提供することを目的とする。
【課題を解決するための手段】
【０００６】
本開示のコネクタは、フードを有する雄ハウジングと、前記フード内に突出する雄タブと、前記フード内に配置される保護部材と、前記フード内に挿入される雌ハウジングと、を備え、前記保護部材は、前記雄タブを位置決めした状態で、仮係止位置と、前記仮係止位置より前記フードの奥側である本係止位置と、に移動可能とされ、前記雌ハウジングは、引っ掛け部を有し、前記保護部材は、前記本係止位置において、前記引っ掛け部に対し、前記雌ハウジングが前記フードから抜け出る方向に当たり得る被引っ掛け部を有し、前記フードは、前記保護部材が前記仮係止位置にあるときに、前記被引っ掛け部に対し、前記保護部材が前記フードから抜け出る方向に当たり得る当て部を有し、前記被引っ掛け部が前記引っ掛け部に当たった状態において、前記保護部材が前記本係止位置から前記仮係止位置に移動可能であり、前記被引っ掛け部が前記当て部に当たり前記引っ掛け部から離れる方向に撓み変形した状態において、前記保護部材が前記仮係止位置に停止可能である。
【発明の効果】
【０００７】
本開示によれば、保護部材が仮係止位置に戻る信頼性の高いコネクタを提供することが可能となる。
【図面の簡単な説明】
【０００８】
【図１】図１は、実施形態にかかるコネクタが互いに正規嵌合した状態を示す断面図である。
【図２】図２は、図１の状態から雌ハウジングがフードから抜け出る方向に移動したときに、被引っ掛け部が引っ掛け部に当たった状態と、前側のストッパ部が解除部に乗り上げられた状態と、を示す拡大断面図である。
【図３】図３は、図２の状態から雌ハウジングがフードから抜け出る方向にさらに移動したときに、被引っ掛け部が当て部に当たって撓み変形した状態と、被ストッパ部が前後のストッパ部間に嵌り込む状態と、を示す拡大断面図である。
【図４】図４は、図３の状態から雌ハウジングがフードから抜け出る方向にさらに移動したときに、被引っ掛け部が当て部に当たり被ストッパ部が前後のストッパ部間に嵌り込む状態を維持することで、保護部材が仮係止位置に保持される状態を示す断面図である。
【図５】図５は、雌ハウジングの背面図である。
【図６】図６は、雄ハウジングの断面図である。
【図７】図７は、保護部材の正面図である。
【図８】図８は、保護部材の背面図である。
【図９】図９は、保護部材の断面図である。
【図１０】図１０は、保護部材が雄ハウジングに対し仮係止位置に保持された状態を示す正面図である。
【図１１】図１１は、保護部材が雄ハウジングに対し仮係止位置に保持された状態を示す断面図である。
【図１２】図１２は、保護部材が雄ハウジングに対し仮係止位置に保持された状態を示す断面図であって、コネクタの左右両側を異なる高さ位置で切断した断面図である。
【図１３】図１３は、他の実施形態において引っ掛け部および被引っ掛け部が前後方向に対して鋭角をなす方向に沿って当たる状態を示す拡大断面図である。
【発明を実施するための形態】
【０００９】
［本開示の実施形態の説明］
最初に本開示の実施態様を列記して説明する。  
本開示のコネクタは、
（１）フードを有する雄ハウジングと、前記フード内に突出する雄タブと、前記フード内に配置される保護部材と、前記フード内に挿入される雌ハウジングと、を備え、前記保護部材は、前記雄タブを位置決めした状態で、仮係止位置と、前記仮係止位置より前記フードの奥側である本係止位置と、に移動可能とされ、前記雌ハウジングは、引っ掛け部を有し、前記保護部材は、前記本係止位置において、前記引っ掛け部に対し、前記雌ハウジングが前記フードから抜け出る方向に当たり得る被引っ掛け部を有し、前記フードは、前記保護部材が前記仮係止位置にあるときに、前記被引っ掛け部に対し、前記保護部材が前記フードから抜け出る方向に当たり得る当て部を有し、前記被引っ掛け部が前記引っ掛け部に当たった状態において、前記保護部材が前記本係止位置から前記仮係止位置に移動可能であり、前記被引っ掛け部が前記当て部に当たり前記引っ掛け部から離れる方向に撓み変形した状態において、前記保護部材が前記仮係止位置に停止可能である。雌ハウジングが雄ハウジングから離れる過程において、被引っ掛け部が引っ掛け部に当たった状態を維持することにより、保護部材が本係止位置から仮係止位置へ向けて移動する。その後、被引っ掛け部が当て部に当たって引っ掛け部から離れる方向に撓み変形する。当て部によって被引っ掛け部が引っ掛け部から強制的に離れるため、保護部材が仮係止位置に精度良く停止することができる。
（２）前記被引っ掛け部および前記当て部は、それぞれ、前記保護部材が前記本係止位置から前記仮係止位置へと移動する方向に対し、前記被引っ掛け部が前記引っ掛け部から離れる側に傾斜し、互いに摺り合うことが可能な斜面部を有していると良い。これによれば、被引っ掛け部が斜面部に沿って撓み変形するため、被引っ掛け部が引っ掛け部から離れて、保護部材が仮係止位置に留まる確実性および安定性を高めることができる。
（３）前記被引っ掛け部は、前記撓み変形した状態から弾性復帰し、前記当て部に当たり得る状態になると良い。被引っ掛け部が当て部に当たることにより、保護部材がフードから抜け出るのが規制される。当て部は、被引っ掛け部を引っ掛け部から離す機能と、保護部材の抜け出しを規制する機能とを兼ね備えることになる。
（４）前記保護部材は、前記被引っ掛け部とは別に、被ストッパ部を有し、前記フードは、前記当て部とは別に、前記被ストッパ部に対し、前記保護部材が前記フードから抜け出る方向に当たり得るストッパ部を有していると良い。これによれば、仮に、保護部材が仮係止位置にあるときに、被引っ掛け部が不用意に撓み変形して当て部から離れても、被ストッパ部がストッパ部に当たることで、保護部材がフードから抜け出るのが規制される。したがって、保護部材の抜け出しを規制する信頼性が高められる。
（５）前記被引っ掛け部および前記引っ掛け部は、それぞれ、前記保護部材が前記本係止位置から前記仮係止位置へと移動する方向に対して垂直に、または前記移動する方向に対して鋭角をなす方向に沿って当たるように形成されていると良い。これによれば、雌ハウジングが雄ハウジングから離れる過程において、被引っ掛け部が引っ掛け部に当たった状態を維持する信頼性を高めることができる。したがって、被引っ掛け部が当て部に当たって撓み変形する過程で、被引っ掛け部が引っ掛け部から不用意に外れることがない。
【００１０】
［本開示の実施形態の詳細］
本開示のコネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１１】
本実施形態のコネクタは、図１に示すように、互いに嵌合可能な雌ハウジング１０および雄ハウジング１１と、雄ハウジング１１に装着される雄端子金具１２と、雌ハウジング１０に装着される雌端子金具１３と、雄ハウジング１１に移動可能に設けられる保護部材１４と、を備えている。なお、以下の説明において、前後方向については、両ハウジング１０、１１が嵌合開始時に互いに向き合う面側を前側とする。保護部材１４は、雄ハウジング１１の前後基準に従う。
【００１２】
＜雄端子金具１２および雌端子金具１３＞
雄端子金具１２は導電金属製であって、図１に示すように、電線４６の端末部に接続される。雄端子金具１２は、前方へ突出する雄タブ１５を有している。雌端子金具１３は同じく導電金属製であって、電線４７の端末部に接続される。雌端子金具１３は、箱状の接続部１６を有している。接続部１６は、両ハウジング１０、１１の正規嵌合時、内側に、雄タブ１５が挿入される。雄タブ１５は、接続部１６の内側で雌端子金具１３に導通接続される。
【００１３】
＜雌ハウジング１０＞
雌ハウジング１０は合成樹脂製であって、図１および図５に示すように、左右方向に長い矩形ブロック状の雌ハウジング本体１７を有している。雌ハウジング本体１７は、複数の雌側キャビティ１８を有している。雌端子金具１３は、各雌側キャビティ１８に後方から挿入される。雌ハウジング１０は、図５に示すように、雌ハウジング本体１７の上面から突出する撓み変形可能なロックアーム１９を有している。ロックアーム１９は、雌ハウジング本体１７の上面の左右中央部に設けられている。雌ハウジング本体１７は、図１に示すように、前面の左右中央部に開口する左右一対のスリット溝２０を有している。
【００１４】
雌ハウジング１０は、図５に示すように、雌ハウジング本体１７の左右の側面に、一対の解除部２１を有している。両解除部２１は、それぞれ、雌ハウジング本体１７の右側面（図５は、背面図であるため左側に図示）の下部と、雌ハウジング本体１７の左側面の上部と、に上下方向に位置ずれして配置されている。両解除部２１は、それぞれ、図１および図２に示すように、板片状に突出する形状になっている。解除部２１の先端面は、前後方向に沿った直線状をなしている。解除部２１の前端は、先端面に向けて後傾している。解除部２１の後端は、先端面に向けて前傾している。また、雌ハウジング１０は、ロックアーム１９の前端の左右両側に、上記と同様の一対の解除部２１を有している（図５を参照）。詳細には図示しないが、両解除部２１は、ロックアーム１９の左右両側に設けられた側壁部分の前端に一体に設けられている。
【００１５】
雌ハウジング１０は、雌ハウジング本体１７の左右の側面に、一対の引っ掛け部２２を有している。両引っ掛け部２２は、それぞれ、雌ハウジング本体１７の右側面（図５は、背面図であるため左側に図示）の上部と、雌ハウジング本体１７の左側面の下部と、に上下方向に位置ずれして配置されている。両引っ掛け部２２は、それぞれ、雌ハウジング本体１７の上端および下端において側方へ張り出し形成されたリブ状部４８に一体に連結されている。そして、両引っ掛け部２２は、それぞれ、雌ハウジング本体１７の左右の側面における前端に爪状に突出する形状になっている。引っ掛け部２２の上下寸法は、解除部２１の上下寸法より大きくされている。引っ掛け部２２の前後寸法は、解除部２１の前後寸法より小さくされている。図１および図２に示すように、引っ掛け部２２の前面は、先端に向けて後傾している。引っ掛け部２２の後面は、前後方向に対して垂直に配置されている。
【００１６】
＜雄ハウジング１１＞
雄ハウジング１１は合成樹脂製であって、左右方向に長い矩形ブロック状の雄ハウジング本体２３を有している。図１に示すように、雄ハウジング本体２３は、複数の雄側キャビティ２４を有している。雄端子金具１２における雄タブ１５を除く部分は、各雄側キャビティ２４に収容される。
【００１７】
雄ハウジング１１は、雄ハウジング本体２３の外縁から前方へ突出するフード２５を有している。フード２５は、左右方向に長い矩形筒状をなし、雄ハウジング本体２３より一回り大きく形成されている。
【００１８】
各雄端子金具１２の雄タブ１５は、フード２５内に突出して配置される。また、雌ハウジング１０は、フード２５内に嵌合して挿入される。フード２５は、上壁の内面（下面）に、図１０に示すように、ロック部２６を有している。ロック部２６は、上壁の内面における左右中央部の前端部からフード２５内に爪状に突出している。ロック部２６は、両ハウジング１０、１１の正規嵌合時、ロックアーム１９にロックされる。
【００１９】
図６に示すように、フード２５は、上壁におけるロック部２６より後方に、Ｕ字形状の切り込みを有し、切り込みの内側に、撓み部２７を有している。撓み部２７は、矩形板状をなし、フード２５の上壁における前端部分を支点として上下方向に撓み変形可能とされている。
【００２０】
フード２５は、撓み部２７の内面（下面）に、複数の前側および後側のストッパ部２８、２９を有している。前側のストッパ部２８は、撓み部２７の前端部寄りの左右両側に対をなして配置されている。両前側のストッパ部２８は、それぞれ、撓み部２７の内面からフード２５内に爪状に突出している。前側のストッパ部２８の先端面は、前後方向に沿った直線状をなしている。前側のストッパ部２８の前面は、先端面に向けて後傾している（図６において、フード２５の左右の側面に設けられたストッパ部２８（後述する）を参照）。前側のストッパ部２８の後面は、前後方向に対して垂直に配置されている。
【００２１】
後側のストッパ部２９は、撓み部２７の後端部（自由端部）寄りの左右両側に対をなして配置されている。両後側のストッパ部２９は、それぞれ、両前側のストッパ部２８に対して左右方向の中央寄りに位置ずれして配置されている。両後側のストッパ部２９は、それぞれ、撓み部２７の内面からフード２５内に爪状に突出している。後側のストッパ部２９の先端面は、前後方向に沿った直線状をなしている。後側のストッパ部２９の前面は、前後方向に対して垂直に配置されている（図６において、フード２５の左右の側面に設けられたストッパ部２９（後述する）を参照）。後側のストッパ部２９の後面は、先端面に向けて後傾している。図１０に示すように、フード２５は、上壁に、撓み部２７の外面（上面）を覆う門型の覆い部３０を有している。
【００２２】
図６に示すように、フード２５は、左右の側壁に、上記と同様、撓み部２７、前側および後側のストッパ部２８、２９を有している。撓み部２７、前側および後側のストッパ部２８、２９のそれぞれの形態は、上壁における各形態と同様であり、上述したとおりである。もっとも、左右の側壁に設けられた撓み部２７（左右両側の撓み部２７）は、それぞれ、上壁に設けられた（上側の撓み部２７）と比べ、板幅寸法が小さくされている。ここで、左右両側の撓み部２７の板幅寸法は上下寸法であり、上側の撓み部２７の板幅寸法は左右寸法である。そして、左右両側の撓み部２７には、それぞれ、１つの前側のストッパ部２８と、前側のストッパ部２８の上下両側に位置する一対の後側のストッパ部２９と、が突出して設けられている。
【００２３】
図１０に示すように、右側の撓み部２７は、フード２５の右側の側壁における上部寄りに配置されている。左側の撓み部２７は、フード２５の左側の側壁における下部寄りに配置されている。したがって、左右の両撓み部２７は、フード２５の左右の側壁において上下方向に位置ずれして配置されている。フード２５は、左右の側壁に、それぞれ、左右両側の撓み部２７の外面（側面）を覆う門型の覆い部３０を有している。
【００２４】
フード２５は、左右の側壁に、一対の当て部３１を有している。図１０に示すように、右側の当て部３１は、フード２５の右側の側壁における下部に配置されている。左側の当て部３１は、フード２５の左側の側壁における上部に配置されている。したがって、両当て部３１は、フード２５の左右の側壁において上下方向に位置ずれして配置されている。また。右側の当て部３１は、フード２５の右側の側壁において右側の撓み部２７より下方に、右側の撓み部２７と並んで配置される。左側の当て部３１は、フード２５の左側の側壁において左側の撓み部２７より上方に、左側の撓み部２７と並んで配置される。
【００２５】
両当て部３１は、図６に示すように、左右の側壁の内面に設けられた一対の溝部３２（図６では一方のみ図示）に設けられている。両溝部３２は、それぞれ、左右の側壁の内面に、前後方向に延びる形態になっている。両溝部３２の内面は、側壁の内面における上下方向に沿った基準面（撓み部２７の内面）よりも外側に位置する溝奥面と、溝奥面の上下端と基準面との間に位置する段差面と、を有している。図１０に示すように、右側の当て部３１は、右側の側壁の下部に設けられた溝部３２内に、その溝部３２の溝奥面と上側の段差面とに一体に連なるようにブロック状に突設されている。左側の当て部３１は、左側の側壁の上部に設けられた溝部３２内に、その溝部３２の溝奥面と下側の段差面とに一体に連なるようにブロック状に突設されている。
【００２６】
両当て部３１は、溝部３２内の前後方向途中において、撓み部２７よりも前方に配置されている。図６に示すように、当て部３１の先端面は、前後方向に沿って配置され、左右の側壁の基準面に段差なく連なっている。当て部３１の前面は、前後方向に対して垂直に配置されている。当て部３１の後面は、先端面に向けて後傾している。具体的には、当て部３１の後面は、溝部３２の溝奥面に対して鋭角をなすように、溝奥面から先端面にかけてオーバーハング状に配置される斜面部３３になっている。
【００２７】
＜保護部材１４＞
保護部材１４は合成樹脂製であって、フード２５内において、仮係止位置（図４、図１０、図１１および図１２を参照）と本係止位置（図１を参照）とに、移動可能に組み込まれる。保護部材１４は、図７および図８に示すように、左右方向に長い矩形平板状の保護壁３４を有している。図１０に示すように、保護壁３４は、フード２５の開口を塞ぐことが可能な形態およびサイズで構成されている。保護壁３４は、複数の位置決め孔３５を有している。各雄端子金具１２の雄タブ１５は、保護壁３４の各位置決め孔３５に位置決めされた状態で挿通される。
【００２８】
保護部材１４は、図８に示すように、保護壁３４の外縁から後方に突出する筒状の周壁３６を有している。保護部材１４は、保護壁３４の後面から後方に突出する一対の縦リブ３７を有している。両縦リブ３７は、保護部材１４の後面の左右中央部において、上下方向に延び、上下端が周壁３６の上下壁部分に一体に連なっている。保護部材１４は、図７に示すように、保護壁３４の前面から前方に突出する一対の突片３８を有している。両突片３８は、それぞれ、上下方向に沿った板片状をなし、図１に示すように、保護壁３４を挟んで両縦リブ３７と反対側の位置に配置されている。両突片３８は、各雄端子金具１２の雄タブ１５を覆うように配置される。そして、両突片３８は、両ハウジング１０、１１の正規嵌合時、両スリット溝２０に嵌合して挿入される。
【００２９】
保護部材１４は、図７に示すように、保護壁３４の前面の左右両側に、正面視矩形の凹所３９を有している。右側の凹所３９は、保護壁３４の右側の側縁における上部に配置されている。左側の凹所３９は、保護壁３４の左側の側縁における下部に配置されている。保護部材１４は、保護壁３４の左右両側において凹所３９で板厚を減少する部分に、一対の被ストッパ部４０を構成している（図９には一方のみ図示）。図８に示すように、周壁３６の左右の両側壁部分は、両被ストッパ部４０と重ならないように内側に屈曲する部分を有している。
【００３０】
また、保護部材１４は、図７に示すように、保護壁３４の左右中央部から上方に突出する部分を有し、この突出部分の上端の左右両側に、上記と同様の形態の凹所３９および被ストッパ部４０を有している。図１２に示すように、各被ストッパ部４０は、仮係止位置において、それぞれ対応する前側および後側のストッパ部２８、２９間に挟まるように配置される。
【００３１】
保護部材１４は、図７に示すように、保護壁３４の左右両側の側縁に、一対の被引っ掛け部４１を有している。右側の被引っ掛け部４１は、保護壁３４の右側の側縁における下部に配置されている。左側の被引っ掛け部４１は、保護壁３４の左側の側縁における上部に配置されている。したがって、左右の被引っ掛け部４１は、保護壁３４の左右の側縁において上下方向に位置ずれして配意されている。また、右側の被引っ掛け部４１は、保護壁３４の右側の側縁において右側の凹所３９（被ストッパ部４０も同じ）より下方に、右側の凹所３９と並んで配置されている。左側の被引っ掛け部４１は、保護壁３４の左側の側縁において左側の凹所３９（被ストッパ部４０も同じ）より上方に、左側の凹所３９と並んで配置されている。
【００３２】
図９に示すように、両被引っ掛け部４１は、保護壁３４の左右両側の前面から前方に突出するアーム部４２と、アーム部４２の先端部の内面から内側に突出する爪状の本体部４３を有している。アーム部４２は、保護壁３４の前面に連なる付け根部分を支点として内外に撓み変形可能とされている。本体部４３の前面は、先端に向けて後傾している。本体部４３の後面は、前後方向に対して垂直に配置されている。
【００３３】
両被引っ掛け部４１は、アーム部４２の先端部の外側角部から斜め外前方に突出する爪状の誘導部４４を有している。つまり、誘導部４４は、アーム部４２の先端部において、本体部４３とは反対側に突出している。誘導部４４の先端面（外端面）は、前後方向に沿った直線状をなしている。誘導部４４の後面は、先端面に向けて前傾している。誘導部４４の前面は、同じく先端面に向けて前傾している。具体的には、誘導部４４の前面は、アーム部４２の外側角部から先端面にかけてオーバーハング状に突出する斜面部４５になっている。誘導部４４の斜面部４５は、当て部３１の斜面部３３と摺り合って、アーム部４２の外側への拡開（撓み）を誘導する（図３を参照）。
【００３４】
＜コネクタの嵌合および離脱＞
保護部材１４は、フード２５内に前方から挿入され、仮係止位置に配置される。図１１に示すように、仮係止位置では、保護壁３４がフード２５の奥面（雄ハウジング本体２３の前面）から前方に離れて配置される。各雄端子金具１２の雄タブ１５の先端部は、各位置決め孔３５に挿通されて保護される（図４を参照）。
【００３５】
保護壁３４の各被ストッパ部４０は、各撓み部２７の撓み動作を伴った後、それぞれ対応する前側および後側のストッパ部２８、２９間に挟まるように配置される。これにより、保護部材１４が仮係止位置に移動を規制された状態に保持される。すなわち、各被ストッパ部４０が各後側のストッパ部２９に当たることにより、保護部材１４が本係止位置側（フード２５の奥側）へ移動するのが規制される。そして、各被ストッパ部４０が各前側のストッパ部２８に当たることにより、保護部材１４が本係止位置側とは反対側であるフード２５から抜け出る方向へ移動するのが規制される。
【００３６】
保護部材１４の仮係止位置への組み付け過程において、両被引っ掛け部４１の誘導部４４が両当て部３１の先端面に乗り上げられ、両被引っ掛け部４１のアーム部４２が小さく撓み変形する。保護部材１４が仮係止位置に至ると、両被引っ掛け部４１のアーム部４２が弾性復帰し、両被引っ掛け部４１の誘導部４４の斜面部４５が両当て部３１の斜面部３３に部分的に当たり得る状態になる。
【００３７】
続いて、雌ハウジング１０が雄ハウジング１１のフード２５内に挿入される。雌ハウジング１０の挿入過程において、雌ハウジング１０の両引っ掛け部２２が両被引っ掛け部４１の本体部４３に当たり、両被引っ掛け部４１のアーム部４２がいったん撓み変形させられる（後述する両ハウジング１０、１１の離脱過程の説明図ではあるが、図３を参照）。その後、両引っ掛け部２２が両被引っ掛け部４１の本体部４３を乗り越え、両被引っ掛け部４１のアーム部４２が弾性復帰する。
【００３８】
さらに雌ハウジング１０の挿入が進行すると、雌ハウジング１０の各解除部２１が各前側のストッパ部２８を押圧し、各撓み部２７が外側に撓み変形させられる（後述する両ハウジング１０、１１の離脱過程の説明図ではあるが図２を参照）。これにより、各被ストッパ部４０が各後側のストッパ部２９から離れる。さらに雌ハウジング１０の挿入が進行すると、保護壁３４が雌ハウジング１０に押圧され、保護部材１４が本係止位置へ向けて移動する。この間、保護部材１４の周壁３６がフード２５の内面をスライドする。そして、各解除部２１が各前側のストッパ部２８を乗り越え、各撓み部２７が弾性復帰する。
【００３９】
雌ハウジング１０が雄ハウジング１１のフード２５に正規深さで挿入されると、ロックアーム１９がロック部２６を弾性的にロックし、両ハウジング１０、１１が嵌合状態に保持される。そして、保護部材１４が本係止位置に至り、図１に示すように、保護壁３４が両ハウジング１０、１１間に挟まれた状態に保持される。各雄端子金具１２の雄タブ１５は、保護壁３４の各位置決め孔３５から各雌側キャビティ１８内に突出し、各雌端子金具１３の接続部１６に挿入されて接続される。保護部材１４が本係止位置にあるときに、両被引っ掛け部４１の誘導部４４の先端側（斜面部４５の一部）はフード２５の両溝部３２内に進入して配置される。両被引っ掛け部４１の本体部４３は、両引っ掛け部２２の前方に、両引っ掛け部２２から距離を置いて当たり得る状態に配置される。
【００４０】
一方、メンテナンスなどの事情により、両ハウジング１０、１１を離脱させる際、ロックアーム１９とロック部２６とのロック状態が解除され、雌ハウジング１０がフード２５から抜け出る方向に移動させられる。すると、雌ハウジング１０の各解除部２１が各前側のストッパ部２８を押圧し、各撓み部２７が外側に撓み変形する（図２を参照）。
【００４１】
雌ハウジング１０がフード２５から抜け出る方向に移動する過程で、両引っ掛け部２２が両被引っ掛け部４１に対し、抜け出る方向（雌ハウジング１０側から見て前方）から当たる。さらに、雌ハウジング１０が移動し、両引っ掛け部２２が両被引っ掛け部４１に当たった状態（引っ掛かった状態）が維持されることにより、保護部材１４もフード２５から抜け出る方向（保護部材１４から見て前方）に移動する。この間、各前側のストッパ部２８が各解除部２１の先端面に乗り上げられ、各撓み部２７の撓み状態が維持される。
【００４２】
さらに雌ハウジング１０が移動すると、両被引っ掛け部４１の誘導部４４の斜面部４５が両当て部３１の斜面部３３に当たる。雌ハウジング１０のさらなる移動に伴い、両斜面部４５、３３が互いに摺り合う状態となり、両被引っ掛け部４１が溝部３２内に深く進入して両当て部３１側へ傾いて行く。この間、両被引っ掛け部４１の本体部４３と両引っ掛け部２２との引っ掛かり代は次第に減少する。こうして両被引っ掛け部４１のアーム部４２が外側へ撓み変形し、両被引っ掛け部４１の誘導部４４の先端側が溝部３２の溝奥面に接触し得る位置に至ると、両被引っ掛け部４１の本体部４３が両引っ掛け部２２との引っ掛かりを解消する（図３を参照）。これにより、両被引っ掛け部４１のアーム部４２が弾性復帰する。すると、両被引っ掛け部４１の誘導部４４の先端側が両当て部３１の斜面部３３に再び当たり得る状態になる（図４を参照）。したがって、保護部材１４は、雌ハウジング１０に連れて移動することなく停止する。
【００４３】
両被引っ掛け部４１のアーム部４２が弾性復帰する直前に、または弾性復帰すると同時に、各前側のストッパ部２８が各解除部２１の先端面を乗り越え、各撓み部２７の撓み状態が解消される。各撓み部２７が弾性復帰するに伴い、保護部材１４の各被ストッパ部４０が再び各前側および各後側のストッパ部２８、２９間に嵌り込む。これにより、保護部材１４が仮係止位置に移動規制された状態に保持される（図４を参照）。
【００４４】
以上説明したように、本実施形態によれば、両ハウジング１０、１１の離脱時、雌ハウジング１０がフード２５から抜け出る方向に移動すると、雌ハウジング１０の両引っ掛け部２２が保護部材１４の両被引っ掛け部４１の本体部４３に当たり、保護部材１４も仮係止位置へ受けて移動することができる。そして、保護部材１４が仮係止位置に至る直前に、または仮係止位置に至るに伴い、両被引っ掛け部４１の誘導部４４が両当て部３１に当たり、両被引っ掛け部４１が外側に撓み変形して両引っ掛け部２２から離れる。両被引っ掛け部４１は弾性復帰して、両当て部３１に当たり得る状態に戻る。これにより、保護部材１４は、雌ハウジング１０から離れて仮係止位置に停止することができる。仮係止位置では、両被引っ掛け部４１とは別に、各被ストッパ部４０が各前側のストッパ部２８に当たり、保護部材１４が仮係止位置に停止する状態が確実に維持されることになる。
【００４５】
また、両被引っ掛け部４１および両当て部３１は、それぞれ、保護部材１４が本係止位置から仮係止位置へ移動する方向に対し、被引っ掛け部４１が引っ掛け部２２から離れる側に傾斜する斜面部４５、３３を有している。このため、両被引っ掛け部４１が斜面部４５、３３に沿って撓み変形することになり、両被引っ掛け部４１が両引っ掛け部２２から離れて、保護部材１４が仮係止位置に留まる確実性および安定性が高められる。
【００４６】
さらに、両被引っ掛け部４１の本体部４３および両引っ掛け部２２が互いに前後方向に対して垂直に当たるように形成されているから、両被引っ掛け部４１の本体部４３が両当て部３１に当たって撓み変形する過程で、両被引っ掛け部４１の誘導部４４が引っ掛け部２２から不用意に外れるのを信頼性良く防止することができる。
【００４７】
［他の実施形態］
今回開示された実施の形態はすべての点で例示であって制限的なものではないと考えられるべきである。  
例えば、上記実施形態は、被引っ掛け部４１および引っ掛け部２２がそれぞれ保護部材１４が本係止位置から仮係止位置へと移動する方向（上記実施形態においては前方）に対して垂直に当たるように形成されていたが、他の実施形態としては、図１３に示すように、被引っ掛け部４１および引っ掛け部２２がそれぞれ保護部材１４が本係止位置から仮係止位置へと移動する方向（図１３の矢印Ａ方向）に対して鋭角をなす方向に沿って当たるように形成されていてもよい。  
上記実施形態は、被引っ掛け部４１が対をなして設けられていたが、他の実施形態としては、被引っ掛け部４１が１つのみ又は３つ以上設けられていてもよい。引っ掛け部２２および当て部３１も被引っ掛け部４１に対応して１つのみ又は３つ以上設けられていてもよい。
【符号の説明】
【００４８】
１０…雌ハウジング
１１…雄ハウジング
１２…雄端子金具
１３…雌端子金具
１４…保護部材
１５…雄タブ
１６…接続部
１７…雌ハウジング本体
１８…雌側キャビティ
１９…ロックアーム
２０…スリット溝
２１…解除部
２２…引っ掛け部
２３…雄ハウジング本体
２４…雄側キャビティ
２５…フード
２６…ロック部
２７…撓み部
２８…前側のストッパ部
２９…後側のストッパ部
３０…覆い部
３１…当て部
３２…溝部
３３…（当て部の）斜面部
３４…保護壁
３５…位置決め孔
３６…周壁
３７…縦リブ
３８…突片
３９…凹所
４０…被ストッパ部
４１…被引っ掛け部
４２…アーム部
４３…本体部
４４…誘導部
４５…（被引っ掛け部の）斜面部
４６…（雄端子金具に接続された）電線
４７…（雌端子金具に接続された）電線
４８…リブ状部
【図１】
2020155360.tif 000003
【図２】
2020155360.tif 000004
【図３】
2020155360.tif 000005
【図４】
2020155360.tif 000006
【図５】
2020155360.tif 000007
【図６】
2020155360.tif 000008
【図７】
2020155360.tif 000009
【図８】
2020155360.tif 000010
【図９】
2020155360.tif 000011
【図１０】
2020155360.tif 000012
【図１１】
2020155360.tif 000013
【図１２】
2020155360.tif 000014
【図１３】
2020155360.tif 000015